(57)【要約】【課題】複数の表示機器に対して、リモコン等の調整専用装置や専用の制御信号受信部を必要とせずに、また別途電話信号受信装置などの外部機器を追加することなく、個別に表示画面を視認しながら、表示機器の画質・輝度調整を行うことができる表示機器の調整システムおよび調整方法を提供する。【解決手段】システムコントローラ３０１は、制御モードとして通常モードとメンテナンスモードとを備え、電子操作ボタン１２１〜１２４の各ボタンに、通常モードでは、客室乗務員の呼び出しや機内通話、座席照明のＯＮ／ＯＦＦなどの機能を持たせるとともに、メンテナンスモードでは、大型モニタ２０１，２０２の画質・輝度調整を行うための機能を持たせるように、切り替えて制御を行う。【選択図】図１
2013076979.tif 000002
【特許請求の範囲】
【請求項１】
第１表示機器と、
複数の第２表示機器と、
前記複数の第２表示機器のそれぞれに対応して設けられており、前記第２表示機器の操作を行う複数の端末装置と、
前記第１表示機器、前記複数の第２表示機器および前記複数の端末装置を制御するとともに、前記端末装置による操作機能として、前記第２表示機器の通常操作を行う通常モードと、前記第１表示機器の各種調整を可能とするメンテナンスモードと、を有しており、前記第１表示機器のメンテナンスを行うために前記メンテナンスモードが選択されると、前記通常モードから前記メンテナンスモードに切り替える制御装置と、
を備えている表示機器の調整システム。
【請求項２】
前記複数の第２表示機器の調整には、画質または輝度の調整が含まれる、
請求項１に記載の表示機器の調整システム。
【請求項３】
前記メンテナンスモードにおける前記第１表示機器とこれに対応する前記複数の端末装置との関連情報が記録されたデータベースを、さらに備えている、
請求項１に記載の表示機器の調整システム。
【請求項４】
前記複数の端末装置は、調整対象として設定された前記第１表示機器を視認しながら操作可能な位置に配置されている、
請求項１に記載の表示機器の調整システム。
【請求項５】
前記第１表示機器と前記複数の端末装置とは、無線を介して接続される、
請求項１から４のいずれか１項に記載の表示機器の調整システム。
【請求項６】
前記複数の端末装置は、移動体に装着された複数の座席にそれぞれ設けられており、通常モードが選択されている際には、前記第２表示機器の操作を行うハンドセットである、
請求項１から５のいずれか１項に記載の表示機器の調整システム。
【請求項７】
前記複数の端末装置は、移動体に装着された複数の座席にそれぞれ設けられており、通常モードが選択されている際には、乗務員の呼び出しや移動体内通話、座席ごとの照明のＯＮ／ＯＦＦ等を行う電子操作ボタンである、
請求項１から５のいずれか１項に記載の表示機器の調整システム。
【請求項８】
前記複数の端末装置は、移動体に装着された複数の座席にそれぞれ設けられたシートモニタである、
請求項１から５のいずれか１項に記載の表示機器の調整システム。
【請求項９】
複数の第２表示機器およびこれにそれぞれ対応する複数の端末装置を制御する制御装置の制御モードとして、前記第２表示機器の通常操作を行う通常モードと前記第２表示機器とは異なる第１表示機器の各種調整を可能とするメンテナンスモードとを選択的に切り替えるステップと、
前記メンテナンスモードが選択されたとき、前記複数の端末装置の機能を、前記第１表示機器の各種調整を行うメンテナンス用に切り替えるステップと、
前記複数の端末装置によって、それぞれが対応する前記第１表示機器を調整するステップと、
を備えている表示機器の調整方法。
【請求項１０】
第１表示機器と、
複数の座席の周辺にそれぞれ設けられており、前記座席周辺機器の操作を行う複数の電子操作部と、
前記第１表示機器、前記座席周辺機器を制御するとともに、前記電子操作部による操作機能として、前記座席周辺機器の通常操作を行う通常モードと、前記第１表示機器の各種調整を可能とするメンテナンスモードと、を有しており、前記第１表示機器のメンテナンスを行うために前記メンテナンスモードが選択されると、前記通常モードから前記メンテナンスモードに切り替える制御装置と、
を備えている表示機器の調整システム。
【発明の詳細な説明】
【技術分野】
【０００１】
本開示は、複数の表示機器を含むシステムに関し、より具体的には、複数の表示機器を調整するシステムおよび調整方法に関する。
【背景技術】
【０００２】
従来、液晶ディスプレイなどの表示機器は、経年変化や、周囲の環境に合わせたりするため、画質・輝度調整をその都度行う必要があった。
【０００３】
表示機器の画質・輝度を調整する際には、一般的に、表示機器の各々に設けられた操作ボタンや操作レバー、タッチパネル、あるいはリモコンなどを用いて、それぞれの表示画面を視認しながら調整を行う。
【０００４】
例えば、航空機等の移動体には、各座席には視聴及び入力操作が可能なタッチパネルを用いた個別モニタや機内通話等が行えるハンドセットなど、ユーザが操作可能な装置が備えられている。これらの個別モニタは、タッチパネルや、ハンドセットなどを用いて画質・輝度調整が行われる。
【０００５】
また、航空機において、各座席に個別モニタが設置されていない場合には、映画などのコンテンツを大画面で鑑賞可能とするために複数の座席グループごとに大型のモニタが配備されている場合がある。このような大型モニタは、１つの画面を複数の人が視認可能なように天井に配置されており、かつ一般の乗客が勝手に操作しないように大型モニタごとに操作ボタンやリモコンなどが装備されていなかった。
【０００６】
このため、これらの大型モニタの画質・輝度調整は、乗客のいないときに、メンテナンスの担当者によって、航空機内の制御システムを用いて、複数の大型モニタに対して集中的に行われていた。
【０００７】
しかしながら、この場合、調整作業を行う場所は通常大型モニタから離れており、調整しながら表示画面を同時に見ることはできなかった。従って、時間を掛けて調整と確認を繰り返すか、粗い調整しかできなかった。
【０００８】
これを解決する手段として、大型モニタごとに調整専用リモコンを用意する方法や、既存のシステムを利用して調整する方法がある。
【０００９】
例えば、特許文献１には、大型映像機器に表示されている映像を所定距離から観察し、その観察結果に基づいて表示状態を調整する大型映像機器調整装置において、携帯電話によって公衆回線を介し、調整データを大型映像機器側に伝送することにより、大型映像機器の表示画面を視認しながら輝度、色相等を調整する技術が開示されている。
【００１０】
図９は、特許文献１に示された大型映像表示装置の表示調整を行う表示調整制御システムの構成を示すブロック図である。
【００１１】
図９において、携帯電話機２５に備えられたテンキーのうち任意のキーが操作されると、これに対応した電話信号が電話局２７に送信される。この送信された電話信号は、電話局２７および電話公衆網回線を介して、電話信号受信装置２６に送信される。
【００１２】
携帯電話機２５のテンキーが操作されると、電話信号受信装置２６は、テンキーに設定された電源のＯＮ／ＯＦＦ、画面表示の有無、画面全体の輝度調整、ユニット調整および映像調整の選択を大型映像表示装置２４の表示制御部２２に指示する。表示制御部２２は、信号分配器２３を介して、大型映像表示部２１の複数のユニット１００を制御して、調整を行う。
【００１３】
このように、上記特許文献１の調整システムでは、既存の携帯電話機と公衆電話網回線とを利用することによって、映像表示部の映像表示状態を調整することができ、作業の効率化を図ることができる。
【先行技術文献】
【特許文献】
【００１４】
【特許文献１】特開２００２−２３６４６４号公報
【発明の概要】
【発明が解決しようとする課題】
【００１５】
しかしながら、上記従来の調整システムのように、メンテナンスのためだけに大型モニタごとに画質・輝度調整専用リモコンを用意するのは現実的ではない。また、予め各表示機器または当該表示機器が含まれるシステムに赤外線受光部または無線受信部等の受信部を装備しておかなければならないという問題がある。
【００１６】
また、上記特許文献１の画質・輝度調整方法では、調整専用リモコンは不要であるが、調整を行う際に、使用する携帯電話等の調整装置と電話信号受信装置との通信回線を確立させる必要があるという問題がある。
【００１７】
また、上記特許文献１では、既存のシステムを利用することはできるが、電話信号を受信し表示制御部に指示するための電話信号受信装置が新たに必要となる。
【００１８】
本開示の目的は、複数の表示機器に対して、リモコン等の調整専用装置や専用の制御信号受信部を必要とせずに、また別途電話信号受信装置などの外部機器を追加することなく、個別に表示画面を視認しながら、表示機器の画質・輝度調整を行うことができる表示機器の調整システムおよび調整方法を提供することにある。
【課題を解決するための手段】
【００１９】
上記目的を達成するために、本開示の表示機器の調整システムでは、第１表示機器と、複数の第２表示機器と、複数の端末装置と、制御装置と、を備えている。複数の端末装置は、複数の第２表示機器のそれぞれに対応して設けられており、第２表示機器の操作を行う。制御装置は、第１表示機器、複数の第２表示機器および複数の端末装置を制御するとともに、第２表示機器の通常操作を行う通常モードと、第１表示機器の各種調整を可能とするメンテナンスモードと、を有しており、第１表示機器のメンテナンスを行うためにメンテナンスモードが選択されると、通常モードからメンテナンスモードに切り替える。
【００２０】
ここで、上記通常モードとは、ユーザの操作に基づいて、例えば、選局・音量調整・メニュー選択、もしくは照明点灯・消灯、呼び出し音などの動作を行う制御モードを意味している。また、上記メンテナンスモードとは、例えば、第１表示機器の画質・輝度調整を行う制御モードを意味している。
【００２１】
また、上記第１表示機器とは、例えば、航空機等の移動体の内部やシアタールーム等に設置された大型モニタ等を含む。上記第２表示機器とは、例えば、航空機等の移動体の内部等に設置されたシートモニタ等を含む。
【００２２】
ここで、制御装置は、メンテナンスモードが選択されると、複数の端末装置の機能を、通常モードからメンテナンスモードに切り替える。
【００２３】
これにより、制御装置の制御モードを切り替えるだけで、例えば、第１表示機器が視認できる位置に予め設けられている対応の端末装置を用いて第１表示機器の画質・輝度を調整することができる。
【００２４】
すなわち、本表示機器の調整システムでは、予め第２表示機器ごとに設けられており、例えば、通常モードでは選局や音量調整等に用いられるコントローラのボタン等を用いて、メンテナンスモードが選択されると第１表示機器の画質・輝度等の調整を行うことができる。
【００２５】
なお、上記メンテナンスモードにおいては、第１表示機器は特定の端末装置によって画質・輝度等を調整可能であるが、当該端末装置として、視認できる範囲の第１表示機器の画質・輝度等を調整可能であってもよい。この場合には、その調整対象となる第１表示機器を、別途システムの設定時に定義すればよい。
【００２６】
また、典型的には、メンテナンスモードが選択されている際に画質・輝度等の調整を行う端末装置は、視認しながら調整可能とするために、操作対象となる第１表示機器の周辺に配置されていることが好ましい。さらに、端末装置としては、操作用のボタン、タッチパネル等のインターフェースを持ち、メンテナンスモード時はこれらのインターフェースを用いて画質・輝度調整を行うものであってもよい。
【００２７】
本開示の表示機器の調整システムは、第１表示機器と、複数の電子操作部と、制御装置と、を備えている。複数の電子操作部は、複数の座席の周辺にそれぞれ設けられており、座席周辺機器の操作を行う。制御装置は、第１表示機器、座席周辺機器を制御するとともに、電子操作部による操作機能として、座席周辺機器の通常操作を行う通常モードと、第１表示機器の各種調整を可能とするメンテナンスモードと、を有している。そして、制御装置は、第１表示機器のメンテナンスを行うためにメンテナンスモードが選択されると、通常モードからメンテナンスモードに切り替える。
【００２８】
ここで、上記通常モードとは、ユーザの操作に基づいて、電子操作部を操作することで、例えば、選局・音量調整・メニュー選択、もしくは照明点灯・消灯、呼び出し音などの動作を行う制御モードを意味している。また、上記メンテナンスモードとは、電子操作部を操作することで、例えば、第１表示機器の画質・輝度調整を行う制御モードを意味している。
【００２９】
また、上記第１表示機器とは、例えば、航空機等の移動体の内部やシアタールーム等に設置された大型モニタ等を含む。
【００３０】
ここで、制御装置は、メンテナンスモードが選択されると、複数の電子操作部の機能を、通常モードからメンテナンスモードに切り替える。
【００３１】
これにより、制御装置の制御モードを切り替えるだけで、例えば、第１表示機器が視認できる位置に予め設けられている対応の電子操作部を用いて第１表示機器の画質・輝度を容易に調整することができる。
【発明の効果】
【００３２】
本開示の表示機器の調整システムによれば、操作ボタンやリモコン等の直接的なユーザインターフェースを有していない第１表示機器についても、予め設けられている端末装置のモードを切り替えるだけで、第１表示機器の画質・輝度調整等を個別に実施することができる。
【００３３】
また、第１・第２表示機器、端末機器、システム制御機器の既存回路を利用することにより、専用受信部などを設ける必要がないため、コストの削減を実現できる。
【００３４】
また、調整用の専用端末が不要となり、調整時用に別途管理する必要がなくなる。
【図面の簡単な説明】
【００３５】
【図１】本開示の一実施形態に係る表示機器の調整システムの構成を示す概略図。
【図２】図１の表示機器の調整システムの制御ブロック図。
【図３】図２のシステムコントローラ内に形成される機能ブロックを示す図。
【図４】図１の表示機器の調整手順を示すフローチャート。
【図５】本開示の他の実施形態に係る表示機器の調整システムの構成を示す概略図。
【図６】図５の表示機器の調整システムの制御ブロック図。
【図７】本開示のさらに他の実施形態に係る表示機器の調整システムの構成を示す概略図。
【図８】図７の表示機器の調整システムの制御ブロック図。
【図９】従来の表示調整制御システムの構成を示すブロック図。
【発明を実施するための形態】
【００３６】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００３７】
なお、出願人は、当業者が本開示を十分に理解するために添付図面および以下の説明を提供するのであって、これらによって特許請求の範囲に記載の主題を限定することを意図するものではない。
【００３８】
（実施形態１）
以下、本開示の一実施の形態について、図面を参照しながら説明する。
【００３９】
＜表示機器の画質・輝度調整システムの構成＞
図１は、本実施形態に係る表示機器の画質・輝度の調整システムを示す概略構成図であって、航空機内におけるシステムコントローラ３０１、座席１０１〜１０４、大型モニタ２０１，２０２、シートモニタ１１０〜１１４、および電子操作ボタン（乗客用ユーザインターフェース）１２１〜１２４の配置の一例を示すものである。
【００４０】
なお、座席や表示機器は航空機内には多数配置されているが、説明の便宜上、図１ではその一部のみを示しているものとする。
【００４１】
航空機内には、図１に示すように、複数の座席１０１〜１０４が配置されている。また、航空機内には、複数の座席から視認可能な位置に、大型モニタ（第１表示機器）２０１，２０２が配置されている。そして、複数の座席１０１〜１０４のそれぞれの背もたれの背面には、シートモニタ（第２表示機器）１１０〜１１４が設置されている。
【００４２】
シートモニタ１１０〜１１４は、航空機内のサーバ（図示せず）から配信された映像コンテンツなどを視聴するために設けられている。また、シートモニタ１１０〜１１４は、操作ボタンや表面に設けられたタッチパネルから映像コンテンツの選択など、各種の入力操作を行うことができる。
【００４３】
例えば、座席１０２に着座している乗客は、前側の座席１０１背もたれの背面に配置されたシートモニタ１１１を視聴、操作する。
【００４４】
また、複数の座席１０１〜１０４のそれぞれには、客室乗務員の呼び出しや機内通話、あるいは座席ごとの照明（スポットライト）のＯＮ／ＯＦＦ等を行うための電子操作ボタン（端末装置、電子操作部）１２１〜１２４が設置されている。
【００４５】
電子操作ボタン１２１〜１２４は、図１に示すように、典型的には、客室乗務員呼び出しボタン１２１ａ、座席照明用ＯＮ／ＯＦＦボタン１２１ｂを有している。
【００４６】
また、航空機内には、大型モニタ２０１，２０２、シートモニタ１１０〜１１４、電子操作ボタン１２１〜１２４を含むシステムの制御を行う機器として、システムコントローラ（制御装置）３０１が配置されている。
【００４７】
システムコントローラ３０１は、図１および図２に示すように、大型モニタ２０１，２０２、複数のシートモニタ１１０〜１１４、電子操作ボタン１２１〜１２４に接続されている。そして、システムコントローラ３０１は、メンテナンス担当者による設定によって、電子操作ボタン１２１〜１２４による操作を、客室乗務員呼び出し、座席照明ＯＮ／ＯＦＦ等の通常操作と、大型モニタ２０１，２０２の画質や輝度を調整するメンテナンス操作との間で切り替える。
【００４８】
すなわち、システムコントローラ３０１は、メンテナンス担当者によって、制御モードが選択されることにより、システム全体、またはシステムの一部に対して異なる制御を行うことができる。
【００４９】
具体的には、システムコントローラ３０１は、電子操作ボタン１２１〜１２４を用いて客室乗務員呼び出し座席照明ＯＮ／ＯＦＦ等の通常操作を行う通常モードと、大型モニタ２０１，２０２の各種調整を行うメンテナンスモードと、を有している。
【００５０】
例えば、システムコントローラ３０１において、通常モードが選択されている場合には、電子操作ボタン１２１〜１２４の各ボタンには、上述した客室乗務員の呼び出しや機内通話、座席照明のＯＮ／ＯＦＦなどの機能を持たせるように制御される。一方、メンテナンスモードが選択されている場合には、大型モニタ２０１，２０２の画質・輝度等の調整を行うための機能を持たせるように制御される。
【００５１】
そして、メンテナンス担当者等によって、システムコントローラ３０１の設定画面等を介して、大型モニタ２０１，２０２のメンテナンスを行うためにメンテナンスモードが選択されると、通常モードからメンテナンスモードに切り替える。
【００５２】
なお、本実施形態では、これらの機器は有線で接続される１つのシステムとして構成されているが、各機器が無線等で接続されていてもよく、統合されたシステムであればその形態は問わない。
【００５３】
（システムコントローラ３０１の制御ブロック）
システムコントローラ３０１は、図２に示すように、設定用モニタ３０１ａ、ＣＰＵ３０１ｂ、記憶部３０１ｃを有している。
【００５４】
設定用モニタ３０１ａは、メンテナンス担当者によって操作される、例えば、タッチパネル式の操作用モニタであって、シートモニタ１１０〜１１３や大型モニタ２０１，２０２の各種設定や、後述するモード切換えの設定を行う。
【００５５】
ＣＰＵ３０１ｂは、記憶部３０１ｃ内に格納されている各種情報や各種プログラムに基づいて、シートモニタ１１０〜１１３や大型モニタ２０１，２０２の制御を行うとともに、後述するモード切換えを実施する。
【００５６】
記憶部３０１ｃは、上述した電子操作ボタン１２１〜１２４と調整対象となる大型モニタ２０１，２０２との関連情報のデータベースや、電子操作ボタン１２１〜１２４に含まれる各ボタンの機能、あるいは各種ソフトウェア等を格納している。
【００５７】
システムコントローラ３０１は、図２に示す記憶部３０１ｃに格納されている各種プログラムを読み込んで、図３に示すように、通常モード設定部３１１と、メンテナンスモード設定部３１２という機能ブロックを内部に生成する。
【００５８】
通常モード設定部３１１は、設定用モニタ３０１ａを介して、通常モードが選択された場合に、電子操作ボタン１２１〜１２４に含まれる客室乗務員呼び出しボタン１２１ａ、座席照明用ＯＮ／ＯＦＦボタン１２１ｂの機能を、客室乗務員を呼び出す、あるいは座席用の照明をＯＮ／ＯＦＦするという本来の機能になるように設定する。
【００５９】
メンテナンスモード設定部３１２は、設定用モニタ３０１ａを介して、通常モードが選択された場合に、電子操作ボタン１２１〜１２４に含まれる客室乗務員呼び出しボタン１２１ａ、座席照明用ＯＮ／ＯＦＦボタン１２１ｂの機能を、メンテナンスモード用の機能に切り替える。
【００６０】
すなわち、メンテナンスモードが選択された場合には、例えば、客室乗務員呼び出しボタン１２１ａは輝度マイナス、座席照明用ＯＮ／ＯＦＦボタン１２１ｂは輝度プラスという操作を行うように、大型モニタ２０１あるいは２０２の輝度調整を行うことができる。
【００６１】
そして、客室乗務員呼び出しボタン１２１ａと座席照明用ＯＮ／ＯＦＦボタン１２１ｂとを同時に押下した際に、輝度調整から画質調整用の操作ボタンとなるように、さらに客室乗務員呼び出しボタン１２１ａ、座席照明用ＯＮ／ＯＦＦボタン１２１ｂの機能を切り替える。
【００６２】
これにより、客室乗務員呼び出しボタン１２１ａと座席照明用ＯＮ／ＯＦＦボタン１２１ｂという２つのボタンを操作するだけで、大型モニタ２０１あるいは２０２の輝度調整、画質調整の両方を行うことができる。
【００６３】
＜大型モニタ２０１，２０２の調整方法＞
以上のように構成されたシステムにおいて、大型モニタ２０１，２０２の画質・輝度を調整する手順について、図４のフローチャートを用いて説明する。
【００６４】
まず、モード選択時（Ｓ１０１）において、通常モードが選択されている状態では、通常モード設定部３１１によって、電子操作ボタン１２１〜１２４は客室乗務員の呼び出しや照明ＯＮ／ＯＦＦなどの機能が有効となる（Ｓ２０１）。
【００６５】
一方、大型モニタ２０１，２０２の画質・輝度等を調整する場合には、モード選択時（Ｓ１０１）に、メンテナンス担当者等によって、システムコントローラ３０１においてメンテナンスモードが選択される。
【００６６】
システムコントローラ３０１においてメンテナンスモードが選択されると、システム全体もしくは部分的に、制御モードが通常モードからメンテナンスモードに切り替えられる。
【００６７】
次に、メンテナンスモードに切り替えられると、メンテナンスモード設定部３１２が、電子操作ボタン１２１〜１２４の各ボタンを、通常モードから、画質・輝度調整用機器として機能するメンテナンスモードへと変遷させる。
【００６８】
より具体的には、例えば、大型モニタ２０１の画質・輝度等の調整を行う際には、大型モニタ２０１の画面を正面から視認でき、かつ大型モニタ２０１から最も近い座席１０１の電子操作ボタン１２１の各ボタンの機能が、大型モニタ２０１の画質・輝度の調整を行う機能に切り替わる（Ｓ２０２）。
【００６９】
次に、メンテナンス担当者は、電子操作ボタン１２１（客室乗務員呼び出しボタン１２１ａ、座席照明用ＯＮ／ＯＦＦボタン１２１ｂ）を用いて大型モニタ２０１の画面を視認しながら、大型モニタ２０１の画質・輝度等を調整する（Ｓ２０３）。
【００７０】
例えば、メンテナンスモード移行後に客室乗務員呼び出しボタンを操作することで、大型モニタ２０１の画面の表示を確認しながら画質・輝度調整モードのうち画質調整モードを選択した後、客室乗務員呼び出しボタン１２１ａと座席照明用ＯＮ／ＯＦＦボタン１２１ｂの２つのボタンを用いて画質の濃淡等を調整する。
【００７１】
同様に、客室乗務員呼び出しボタン１２１ａと座席照明用ＯＮ／ＯＦＦボタン１２１ｂとを同時に押下することで、輝度調整モードを選択した後、２つのボタンを用いて画面の明暗を調整する。
【００７２】
なお、これらのボタンの役割は、予めシステムにデータベースとして持たせておいてもよいし、着脱式の外部記録媒体を通じて設定してもよい。
【００７３】
同様に、大型モニタ２０２についても、大型モニタ２０２の画面が視認でき、かつ最も近い座席１０３の電子操作ボタン１２３を用いて画質・輝度を調整することができる。
【００７４】
以下、図示しない他の大型モニタについても、順次、各大型モニタに近い位置に配置された座席の電子操作ボタン１２１〜１２４のいずれかを用いて画質・輝度の調整を行われる。
【００７５】
次に、これらの画質・輝度の調整が正しく行われたか否かが、確認される（Ｓ２０４）。
【００７６】
次に、例えば、一旦設定された画質・輝度の調整値は、調整対象の大型モニタ２０１，２０２の内部に存在する不揮発性のメモリに自動的に格納され（Ｓ２０５）、次回起動時には、調整済みの画質・輝度に設定されるようにすることも可能である。
【００７７】
ここで、原則的には、メンテナンスモード選択時の機能は、電子操作ボタン１２１〜１２４のボタンの表示などから類推されるものではなく、あくまでメンテナンスマニュアル等に記載される機能である。
【００７８】
つまり、画質・輝度調整は一般乗客が搭乗していない間に、メンテナンス担当者によって実施されるものであり、一般乗客がメンテナンスモードを知る必要がないためである。
【００７９】
次に、画質・輝度調整のメンテナンスが終了後、メンテナンス担当者によって、システムコントローラ３０１において、制御モードをメンテナンスモードから通常モードに戻す操作がされる。これにより、メンテナンスモードは速やかに解消され、電子操作ボタン１２１〜１２４の各ボタンは、通常モード時の機能を有する状態に戻される（Ｓ２０６）。
【００８０】
本システムによれば、以上のように、航空機に通常備えられているシステムを利用して、その制御モードを変えるのみで、複数の表示装置の画質・輝度などの調整を、メンテナンス担当者が画面を視認しながら行うことができる。
【００８１】
特に、大型モニタ２０１，２０２として液晶モニタが採用されている場合には、液晶モニタ特有の性質として視野角が狭いため、画質や輝度調整を正確に行うためには、大型モニタ２０１，２０２の正面であってできるだけ近い位置から調整を行うことが好ましい。
【００８２】
よって、本実施形態の調整システムでは、例えば、大型モニタ２０１の調整を行う際には、大型モニタ２０１の正面であって距離が近い位置に配置された座席１０１に設けられた電子操作ボタン１２１を用いることで、大型モニタ２０１の画質・輝度の調整をより正確に実施することができる。
【００８３】
（実施形態２）
本開示の他の実施形態に係る表示機器の調整システムおよび調整方法について、図５および図６を用いて説明すれば以下の通りである。
【００８４】
すなわち、本実施形態の表示機器の調整システムでは、航空機内の座席１０１〜１０４に対応するシートモニタ１１１〜１１４が設けられていない点において、上記実施形態１とは異なっている。一方、その他の構成については、基本的に上記実施形態１の構成と同様である。
【００８５】
図５は、上記実施形態１の図１と同様に、本実施形態に係る表示機器の画質・輝度を調整システムを示す概略構成図であって、航空機内におけるシステムコントローラ（制御装置）３０１、座席１０１〜１０４、大型モニタ（第１表示機器）２０１，２０２、および電子操作ボタン（端末装置、電子操作部）（乗客用ユーザインターフェース）１２１〜１２４の配置の一例を示すものである。
【００８６】
また、上記実施形態１の図１と同様に、座席や表示機器は航空機内には多数配置されているが、説明の便宜上、図５ではその一部のみを示しているものとする。
【００８７】
本実施形態の調整システムは、図５および図６に示すように、航空機内に複数配置された座席１０１〜１０４に対して、それぞれ電子操作ボタン１２１〜１２４が設けられている。
【００８８】
電子操作ボタン１２１〜１２４は、上記実施形態１と同様に、客室乗務員呼び出しボタン１２１ａ〜１２４ａ、座席照明用ＯＮ／ＯＦＦボタン１２１ｂ〜１２４ｂを有している。
【００８９】
また、本実施形態の調整システムでは、大型モニタ２０１，２０２の画質・輝度の調整を行う際には、上記実施形態１と同様に、客室乗務員を呼び出すための客室乗務員呼び出しボタン１２１ａ〜１２４ａ、座席照明をＯＮ／ＯＦＦするための座席照明用ＯＮ／ＯＦＦボタン１２１ｂ〜１２４ｂを用いて行う。
【００９０】
なお、システムコントローラ３０１を用いて制御モードを変更する手順については、上記実施形態１において図４を用いて説明した通りである。
【００９１】
よって、本実施形態の調整システムでは、図６に示すように、航空機内に設置された複数の座席１０１〜１０４に対応するシートモニタがないシンプルなシステム構成においても、上記実施形態１と同様の効果を得ることができる。
【００９２】
（実施形態３）
本開示のさらに他の実施形態に係る表示機器の調整システムおよび調整方法について、図７および図８を用いて説明すれば以下の通りである。
【００９３】
すなわち、本実施形態の表示機器の調整システムでは、大型モニタ２０１，２０２の調整を行う電子操作部（端末装置）として、電子操作ボタン１２１〜１２４の代わりに、ハンドセット２２１〜２２４を用いる点において、上記実施形態１，２とは異なっている。一方、その他の構成については、基本的に上記実施形態１の構成と同様である。
【００９４】
図７は、本実施形態に係る表示機器の画質・輝度調整システムを示す概略構成図であって、航空機内におけるシステムコントローラ（制御装置）３０１、座席１０１〜１０４、大型モニタ（第１表示機器）２０１，２０２、シートモニタ（第２表示機器）１１０〜１１４、およびハンドセット（端末装置、電子操作部）（乗客用ユーザインターフェース）２２１〜２２４の配置の一例を示すものである。
【００９５】
なお、上記実施形態１の図１等と同様に、座席や表示機器は航空機内には多数配置されているが、説明の便宜上、図７ではその一部のみを示しているものとする。
【００９６】
本実施形態の調整システムは、図７および図８に示すように、航空機内に設置された複数の座席１０１〜１０４の正面にそれぞれ対応するように配置されたシートモニタ１１０〜１１３を乗客が操作するためのハンドセット２２１〜２２４を備えている。
【００９７】
ハンドセット２２１〜２２４は、通常モード設定時に、シートモニタ１１０〜１１３の音量調節やチャンネル切り替え等を行う十字キー２２１ａ〜２２４ａおよび操作ボタン２２１ｂ〜２２４ｂを有している。また、ハンドセット２２１〜２２４は、図示しないが、機内通話用マイク、シートモニタ１１１〜１１４を操作するための操作ボタン等も備えている。
【００９８】
本実施形態では、上記実施形態１で説明したように、システムコントローラ３０１を介して制御モードが通常モードからメンテナンスモードへ切り替えられた場合には、十字キー２２１ａ〜２２４ａおよび操作ボタン２２１ｂ〜２２４ｂの機能は、メンテナンスモード用の機能に切り替えられる。
【００９９】
具体的には、例えば、十字キー２２１ａ〜２２４ａは、画質調整用の操作ボタンとして機能し、操作ボタン２２１ｂ〜２２４ｂは、輝度調整用の操作ボタンとして機能する。
【０１００】
なお、システムコントローラ３０１を用いて制御モードを変更する手順については、上記実施形態１において図４を用いて説明した通りである。
【０１０１】
よって、本実施形態の調整システムでは、通常モードにおいては、シートモニタ１１０〜１１３の音量調節やチャンネル切り替え等を行う十字キー２２１ａ〜２２４ａおよび操作ボタン２２１ｂ〜２２４ｂを用いて、大型モニタ２０１，２０２の画質・輝度等の調整を実施することで、上記実施形態１と同様の効果を得ることができる。
【０１０２】
［他の実施形態］
以上、本開示の一実施形態について説明したが、本開示は上記実施形態に限定されるものではなく、要旨を逸脱しない範囲で種々の変更が可能である。
【０１０３】
（Ａ）
上記実施形態１では、大型モニタ２０１の調整を行うため、大型モニタ２０１の画面が視認でき、かつ最も近い座席１０１の電子操作ボタン１２１を用いた例を挙げて説明した。しかし、本開示はこれに限定されるものではない。
【０１０４】
大型モニタ２０１の画面が視認できる座席であれば、例えば、座席１０２の電子操作ボタン１２２を用いて、大型モニタ２０１の画質・輝度等の調整を実施してもよい。
【０１０５】
（Ｂ）
上記実施形態３では、ハンドセット２２１〜２２４の各ボタンの機能を、通常モードでは、対応するシートモニタ１１０〜１１３の音量調節やチャンネル切り替え等の機能とし、メンテナンスモードでは、大型モニタ２０１，２０２の調整を行うための機能とした例を挙げて説明した。しかし、本開示はこれに限定されるものではない。
【０１０６】
例えば、ハンドセット２２１〜２２４に、対応するシートモニタ１１０〜１１３の画質・輝度などの調整を行うボタンが備えられている場合には、そのボタンを操作して、調整対象となる第１表示機器を、シートモニタ１１０〜１１３から大型モニタ２０１，２０２に切り替えた上で、大型モニタ２０１，２０２の画質や輝度の調整を行ってもよい。
【０１０７】
これにより、ハンドセット２２１〜２２４の画質・輝度などの調整の表示をそのまま利用して、大型モニタ２０１，２０２の画質や輝度の調整を行うことができる。
【０１０８】
（Ｃ）
上記実施形態１，３では、大型モニタ２０１，２０２の画質・輝度などの調整に、電子操作ボタン１２１〜１２４、あるいはハンドセット２２１〜２２４を用いた例を挙げて説明した。しかし、本開示はこれに限定されるものではない。
【０１０９】
例えば、シートモニタ１１０〜１１３を含むシステムにおいては、シートモニタ１１０〜１１３に設けられた操作ボタンやタッチパネルの機能を、システムコントローラ３０１によって通常モードからメンテナンスモードに切り替えることにより、大型モニタ２０１，２０２等の画質・輝度等の調整を行ってもよい。
【０１１０】
（Ｄ）
上記実施形態１〜３では、大型モニタ２０１，２０２の画質・輝度などの調整に電子操作ボタン１２１〜１２４、ハンドセット２２１〜２２４を用いた例を挙げて説明した。しかし、本開示はこれに限定されるものではない。
【０１１１】
例えば、座席のリクライニング調整のための操作ボタンなど、大型モニタ２０１、２０２を視認可能な位置にある電子操作部を用いて、大型モニタ２０１，２０２の画質・輝度等を調整してもよい。
【０１１２】
（Ｅ）
本開示において調整対象となる大型モニタ２０１，２０２の調整項目は、画質・輝度以外でもよいことは言うまでもない。
【０１１３】
例えば、大型モニタ２０１，２０２にスピーカ等が内蔵されている場合には、その音量調整等を行ってもよい。
【産業上の利用可能性】
【０１１４】
本開示は、複数の表示機器に対して、リモコン等の調整専用装置や、専用の制御信号受信部を必要とせずに、また、別途電話信号受信装置などの外部機器を追加することなく、既存のシステムを利用して、その制御モードを変えるのみで個別に表示機器の画質・輝度調整を行うことができるため、航空機等の移動体に限らず、大ホール等、室内等の一定空間内に集合して備え付けられた複数の表示機器を制御する装置、システム等に有用である。
【符号の説明】
【０１１５】
１０１〜１０４  座席
１１０〜１１４  シートモニタ（第２表示機器）
１２１〜１２４  電子操作ボタン（端末装置、電子操作部）
１２１ａ〜１２４ａ  乗務員呼び出しボタン
１２１ｂ〜１２４ｂ  座席照明用ＯＮ／ＯＦＦボタン
２０１，２０２  大型モニタ（第１表示機器）
２２１〜２２４  ハンドセット（端末装置）
２２１ａ〜２２４ａ  十字キー
２２１ｂ〜２２４ｂ  操作ボタン
３０１          システムコントローラ（制御装置）
３０１ａ  設定用モニタ
３０１ｂ  ＣＰＵ
３０１ｃ  記憶部
３１１    通常モード設定部
３１２    メンテナンスモード設定部
【図１】
2013076979.tif 000003
【図２】
2013076979.tif 000004
【図３】
2013076979.tif 000005
【図４】
2013076979.tif 000006
【図５】
2013076979.tif 000007
【図６】
2013076979.tif 000008
【図７】
2013076979.tif 000009
【図８】
2013076979.tif 000010
【図９】
2013076979.tif 000011